(57)【要約】【課題】工具を使用することなくしかも簡単な構成で、水抜き管に対する膨出部材の圧接を可能とする。【解決手段】仮設足場保持具１０の保持具本体１１の先端側に、弾性体からなる一対の椀状部材１８，１９を対面させて膨出部材１２を構成する。椀状部材１８にはナット部材３０を固定する。保持具本体１１及び椀状部材１９，１８を貫通するシャフト２８の先端のねじ部３１にナット部材３０を螺合する。シャフト２８を矢印Ｒ方向に回転させると、ナット部材３０とともに椀状部材１８が左方に移動して椀状部材１８に接触しさらにそれぞれの側部２２，２３が外側に弾性変形して水抜き管Ｐに圧接される。【選択図】      図２
2004263494.tif 000002
【特許請求の範囲】
【請求項１】
足場を保持すべく、擁壁の水抜き管にその一部を突出させた状態で固定される仮設足場保持具において、
前記水抜き管に挿入される挿入部と前記水抜き管から突出する突出部とを有する管状の保持具本体と、
前記保持具本体の前記挿入部の端部に配設された中空状の膨出部材と、
前記保持具本体及び前記膨出部材を軸方向に貫通するシャフトを有し、前記シャフトの回転により、前記膨出部材を軸方向に圧縮し、径方向に膨出させて前記水抜きの内周面に圧接する圧接機構と、を備える、
ことを特徴とする仮設足場保持具。
【請求項２】
前記圧接機構は、前記シャフトにおける前記保持具本体の前記突出部の端部近傍にハンドルを有する、
ことを特徴とする請求項１に記載の仮設足場保持具。
【請求項３】
前記圧接機構は、前記膨出部材に一体に固定されたナット部材と、前記シャフトに螺刻されるとともに前記ナット部材に螺合するねじ部とを有する、
ことを特徴とする請求項１又は２に記載の仮設足場保持具。
【請求項４】
前記ハンドルは、前記保持具本体の外径よりも大径に形成されている、
ことを特徴とする請求項２又は３に記載の仮設足場保持具。
【請求項５】
前記膨出部材は、それぞれの開口部が対面するように配設された一対の椀状部材によって構成されている、
ことを特徴とする請求項１ないし４のいずれか１項に記載の仮設足場保持具。
【請求項６】
前記膨出部材は、それぞれの開口部が対面するように配設された複数対の椀状部材によって構成されている、
ことを特徴とする請求項１ないし４のいずれか１項に記載の仮設足場保持具。
【請求項７】
前記椀状部材は、円板状の底部と、前記底部の周縁部から延設されるとともに前記開口部に近いほど外径が大きい側部とを有する、
ことを特徴とする請求項５又は６に記載の仮設足場保持具。
【請求項８】
前記側部は、球形の一部とほぼ同形に形成されている、
ことを特徴とする請求項７に記載の仮設足場保持具。
【請求項９】
前記底部は、２枚の板状部材によって挟持されている、
ことを特徴とする請求項７又は８に記載の仮設足場保持具。
【発明の詳細な説明】
【０００１】
【発明の属する技術分野】
本発明は、擁壁工事，護岸工事等に使用される足場を保持するための仮設足場保持具に関し、詳しくは擁壁等に施工されている水抜き管に挿着して使用される仮設足場保持具に係る。
【０００２】
【従来の技術】
山の傾斜面の擁壁工事や河川の護岸工事等においては、工事面に沿って作業用の足場を設けるために、水抜き管を利用する方法が知られている。
【０００３】
水抜き管は、工事面の縦方向及び横方向に適宜な間隔で多数設けられている。この水抜き管に円柱状の仮設足場保持具の一方の端部を挿入して固定し、他方の端部を工事面から突出させる。この突出部分にクランプを取り付け、このクランプを利用して工事面に沿って縦方向のパイプを固定し、さらにこの縦方向のパイプにクランプを取り付けてこのクランプで横方向のパイプを固定する。こうして工事面に沿って縦横に張り巡らされた多数のパイプを利用して足場を取り付ける。
【０００４】
上述の仮設足場保持具を水抜き管に固定するための構成が、例えば特許文献１，２に開示されている。
【０００５】
特許文献１のものは、仮設足場保持具の先端側（水抜き管に挿入する側）に配設した中実円柱状の膨出部材を、両端面側から軸方向に圧縮して外周面を径方向に膨らませ、その外周面を水抜き管の内周面に圧接させて固定するものである。
【０００６】
また特許文献２のものは、仮設足場保持具の先端側に配設したリング状の圧接体を中心部に椀状凹部を有する一対の円板で挟持し、これにより椀状凹部で圧接体を外側に押し広げて（拡径して）水抜き管の内周面に圧接させるものである。
【０００７】
【特許文献１】
特公平４−７２９４６号公報
【特許文献２】
特公平１−２２４２９号公報
【０００８】
【発明が解決しようとする課題】
しかしながら、上述の特許文献１によると、膨出部材が中実円柱状に形成されているので、これを軸方向に圧縮し径方向に膨らませて水抜き管に圧接して仮設足場保持具を水抜き管に固定するためには、工具を必要とする。このため水抜き管に対する仮設足場保持具の固定作業が煩雑なものとなった。
【０００９】
また、上述の特許文献２によると、圧接体（膨出部材）がリング状に形成されているので、これを拡径して水抜き管の内周面に圧接させるために円板に椀状凹部を設けている。このため仮設足場保持具の全体構成が複雑になっていた。なお、特許文献２においても、圧接体を拡径するのに工具を必要としている。
【００１０】
本発明は、膨出部材を中空状に形成することにより、工具を使用することなくしかも簡単な構成で、水抜き管に対する膨出部材の圧接を可能とし、もって上述課題を解決するようにした仮設足場保持具を提供することを目的とするものである。
【００１１】
【課題を解決するための手段】
請求項１に係る発明は、足場を保持すべく、擁壁の水抜き管にその一部を突出させた状態で固定される仮設足場保持具において、前記水抜き管に挿入される挿入部と前記水抜き管から突出する突出部とを有する管状の保持具本体と、前記保持具本体の前記挿入部の端部に配設された中空状の膨出部材と、前記保持具本体及び前記膨出部材を軸方向に貫通するシャフトを有し、前記シャフトの回転により、前記膨出部材を軸方向に圧縮し、径方向に膨出させて前記水抜きの内周面に圧接する圧接機構と、を備える、ことを特徴とする。
【００１２】
請求項２に係る発明は、請求項１に記載の仮設足場保持具において、前記圧接機構は、前記シャフトにおける前記保持具本体の前記突出部の端部近傍にハンドルを有する、ことを特徴とする。
【００１３】
請求項３に係る発明は、請求項１又は２に記載の仮設足場保持具において、前記圧接機構は、前記膨出部材に一体に固定されたナット部材と、前記シャフトに螺刻されるとともに前記ナット部材に螺合するねじ部とを有する、ことを特徴とする。
【００１４】
請求項４に係る発明は、請求項２又は３に記載の仮設足場保持具において、前記ハンドルは、前記保持具本体の外径よりも大径に形成されている、ことを特徴とする。
【００１５】
請求項５に係る発明は、請求項１ないし４のいずれか１項に記載の仮設足場保持具において、前記膨出部材は、それぞれの開口部が対面するように配設された一対の椀状部材によって構成されている、ことを特徴とする。
【００１６】
請求項６に係る発明は、請求項１ないし４のいずれか１項に記載の仮設足場保持具において、前記膨出部材は、それぞれの開口部が対面するように配設された複数対の椀状部材によって構成されている、ことを特徴とする。
【００１７】
請求項７に係る発明は、請求項５又は６に記載の仮設足場保持具において、前記椀状部材は、円板状の底部と、前記底部の周縁部から延設されるとともに前記開口部に近いほど外径が大きい側部とを有する、ことを特徴とする。
【００１８】
請求項８に係る発明は、請求項７に記載の仮設足場保持具において、前記側部は、球形の一部とほぼ同形に形成されている、ことを特徴とする。
【００１９】
請求項９に係る発明は、請求項７又は８に記載の仮設足場保持具において、前記底部は、２枚の板状部材によって挟持されている、ことを特徴とする。
【００２０】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【００２１】
＜実施の形態１＞
図１，図２，図３に、本発明に係る仮設足場保持具の一例として、実施の形態１に係る仮設足場保持具１０を示す。このうち、図１は仮設足場保持具１０の全体斜視図である。同図においては、仮設足場保持具１０の先端側を擁壁の水抜き管Ｐに挿入した状態を示しており、また水抜き管Ｐは軸Ｃを通る平面によって半分に割った状態を示している。図２，図３は仮設足場保持具１０の動作説明図である。これらの図は、軸Ｃを含む平面で切った、仮設足場保持具１０の縦断面図の一部を示している。このうち図２は水抜き管Ｐに対する仮設足場保持具１０の固定前の状態（開放状態）を、また図３は固定後の状態（締め付け状態）を示している。
【００２２】
仮設足場保持具１０は、図１に示すように、管状の保持具本体１１と、この保持具本体１１の先端側に配設された膨出部材１２と、この膨出部材１２を水抜き管（水抜きパイプ）Ｐの内周面に圧接させるための圧接機構１３とを備えている。
【００２３】
保持具本体１１は、ほぼ管状に形成されており、軸Ｃに沿っての先端側は水抜き管Ｐに挿入される挿入部１１ａとなり、基端側は水抜き管Ｐから突出する突出部１１ｂとなる。挿入部１１ａの先端側及び突出部１１ｂの基端側にはそれぞれ蓋部１４，１５が設けてある。これら蓋部１４，１５の中心には、圧接機構１３のシャフト２８（後述）よりも少し大径の透孔１４ａ，１５ａ（ただし、透孔１５ａは不図示）が穿設されている。また、蓋部１４には、透孔１４ａの周囲に２個の小孔１４ｂが穿設されている。この小孔１４ｂは、板状部材２７（後述）の、共回り防止用の凸部２７ａが係合される。保持具本体１１の挿入部１１ａにおける、水抜き管Ｐの出口近傍には、フランジ部１６が設けてある。このフランジ部１６の外径は、水抜き管Ｐの内径よりも少し小さい寸法に設定されている。
【００２４】
膨出部材１２は、本実施の形態においては、一対の椀状部材１８，１９によって構成されている。椀状部材１８，１９は、硬質ゴム等の弾性部材によって形成されており、図２，図３に示すように、円板状の底部２０，２１と、この底部２０，２１の周縁部から延設された側部２２，２３とを有している。側部２２，２３は、開口部２２ａ，２３ａに近いほど外径が大きくなるように形成されている。本実施の形態においては、側部２２，２３は、球形の一部とほぼ同形に形成されている。側部２２，２３は、図２に示すように、開口部２２ａ，２３ａにおける外径が、水抜き管Ｐの内径よりも少し小さくなるように設定されている。椀状部材１８は、底部２０の内側と外側とにビス３３によって固定された２枚の板状部材（例えば金属板）２４，２５によって挟持されて補強されている。このうち内側の板状部材２４は、その直径が底部２０の直径とほぼ同じに形成されている。一方、外側の板状部材２５は、その直径が底部２０の直径よりも大きく形成されている。つまり、板状部材２５の外周側が、底部２０と側部２２との連結部分よりも外側に位置するようになっている。これにより、後述のように、椀状部材１８が変形する際に、連結部分が不要に変形することを防止している。この外側の板状部材２５には、圧接機構１３の一部を構成するナット部材３０（後述）が固定されている。
【００２５】
椀状部材１９は、上述の椀状部材１８と同様に、ビス３４によって固定された２枚の板状部材２６，２７によって挟持されて補強されている。このうち内側の板状部材２６は、その直径が底部２１の直径とほぼ同じに形成されている。一方、外側の板状部材２７は、その直径が底部２１の直径よりも大きく形成されている。つまり、板状部材２７の外周側が、底部２１と側部２３との連結部分よりも外側に位置するようになっている。これにより、後述のように、椀状部材１９が変形する際に、連結部分が不要に変形することを防止している。この外側の板状部材２７には、２箇所に凸部２７ａが突設されている。この凸部２７ａは、前述の保持具本体１１の蓋部１４に穿設された小孔１４ｂ（図１参照）に係合されている。これにより、シャフト２８が回転されたときに、椀状部材１９が共回りすることを防止している。
【００２６】
上述の椀状部材１８，１９は、開口部２２ａ，２３ａにおける周縁部２２ｂ，２３ｂが平らに形成されている。つまり周縁部２２ｂ，２３ｂ相互が接触したときには、ぴったりと合わさるようになっている。これにより、後述のように、椀状部材１８，１９の側部２２，２３を水抜き管Ｐに圧接させる際に、より大きな力で圧接させることが可能となる。図２に示す水抜き管Ｐに対する仮設足場保持具１０の固定前、すなわち水抜き管Ｐに対する膨出部材１２の圧接前の状態においては、膨出部材１２は、それぞれの椀状部材１８，１９が開口部２２ａ，２３ａを対面させた状態で配設されている。このように２個の椀状部材１８，１９はそれぞれの開口部２２ａ，２３ａを対面させているので、それぞれの椀状部材１８，１９の内側の空間がほぼ連通された状態となる。したがって、膨出部材１２全体として見たときには、中空状に形成されているといえる。
【００２７】
圧接機構１３は、軸Ｃに沿って配設されたシャフト２８と、シャフト２８の基端側に固定されたハンドル２９と、シャフト２８の先端側に配設されたナット部材３０とを有している。
【００２８】
シャフト２８は、保持具本体１１、椀状部材１９，１８を軸方向に貫通するとともに、両端部にはそれぞれねじ部３１が螺刻されている。このうち先端側（図２中の左側）のねじ部３１には、上述の椀状部材１８の底部２０の補強用の板状部材２５に固定されたナット部材３０が螺合されている。言い換えると、基端側の椀状部材１８はナット部材３０を介してシャフト２８のねじ部３１に螺合されていることになる。これに対してもう一方の椀状部材１９は、シャフト２８に対して軸方向移動可能に取り付けられている。一方、シャフト２８の基端側（図１中の右側）のねじ部３１には、次に説明するハンドル２９が螺合されている。
【００２９】
ハンドル２９は、図１に示すように、シャフト２８の基端部に螺合されている。ハンドル２９には、複数の透孔２９ａが穿設されている。これら透孔２９ａは、仮設足場保持具１０全体の重量軽減に資することができ、また作業者が手でハンドル２９を回す際に指を挿入することで操作性の向上に資することができる。またハンドル２９の外径は、保持具本体１１の外径よりも大きくなるように設定されている。これにより、後述のように保持具本体１１の突出部１１ｂに取り付けたクランプを緩めたときにこのクランプが突出部１１ｂから不用意に抜け落ちることを防止することができる。図１に示すように、ハンドル２９の中央には、ボス部３２が固定（溶接）されていて、このボス部３２の内側には雌ねじ部（不図示）が形成されている。この雌ねじ部には、上述のシャフト２８の先端に形成された雄ねじ部（不図示）が螺合されている。
【００３０】
上述構成の仮設足場保持具１０は、椀状部材１８，１９を交換することにより、内径の異なる複数種の水抜き管Ｐに簡単に適用することができる。
【００３１】
図６（ａ），（ｂ）に、椀状部材１８，１９の具体例を示す。材質としては、例えば、硬度がＮＲ６５°の硬質ゴムが使用されている。このうち（ａ）に示すものは、底部２０，２１の厚さが８ｍｍ、球状の側部１８，１９の厚さが７ｍｍ、開口部２２ａ，２３ａの外径Ｄが７２ｍｍ、開口部２２ａ，２３ａから底部２０，２１までの距離が２０ｍｍである。一方、（ｂ）に示すものは、底部２０，２１の厚さが７ｍｍ、球状の側部１８，１９の厚さが６ｍｍ、開口部２２ａ，２３ａの外径Ｄが４８ｍｍ、開口部２２ａ，２３ａから底部２０，２１までの距離が１０ｍｍである。なお、（ｂ）に示す椀状部材１８，１９において、全体の厚さを均一に形成、例えば底部２０，２１と側部１８，１９の双方を６ｍｍに形成するようにしてもよい。
【００３２】
（ａ）に示す椀状部材１８，１９は、内径が７５ｍｍの水抜き管Ｐ（大径の水抜き管）に使用される。また、図７に示すようなアダプタ３５を椀状部材１８，１９に装着することにより、（ａ）に示す椀状部材１８，１９を、内径が８１ｍｍの水抜き管Ｐに対しても使用することが可能となる。
【００３３】
一方、（ｂ）に示す椀状部材１８，１９は、内径５０ｍｍの水抜き管Ｐ（小径の水抜き管）に使用することができる。
【００３４】
また、フランジ部１６は、その外径を、大径の水抜き管Ｐの内径７５ｍｍに合わせてこれよりも僅かに小さく（例えば、７３ｍｍ程度）設定する。この場合には、フランジ部１６は、小径の水抜き管Ｐ（内径が５０ｍｍ）には挿入することができないので、水抜き管Ｐの端面に当接するようにして使用する。このような場合には、前述の保持具本体１１の外径を小径の水抜き管Ｐの内径（５０ｍｍ）よりも僅かに小さく（例えば、４８ｍｍ程度）に設定しておけば、特にフランジ部１６は必要ではなくなる。言い換えると、保持具本体１１の外径を、小径の水抜き管Ｐの内径（５０ｍｍ）よりも少し小さく設定し、かつフランジ部１６の外径を、大径の水抜き管Ｐの内径（７５ｍｍ）よりも少し小さく設定しておくことにより、仮設足場保持具１０の構成を何ら変更することなく、この仮設足場保持具１０を、小径の水抜き管Ｐと大径の水抜き管Ｐとの双方に対して簡単に使用することができる。
【００３５】
このように、本発明の係る仮設足場保持具１０は、椀状部材１８，１９を交換することによって、他の構成は変更することなく、内径の異なる複数種の水抜き管Ｐに対して広範囲に使用することができる。
【００３６】
つづいて、上述構成の仮設足場保持具１０の作用・効果について説明する。以下では、仮設足場保持具１０を大径（内径７５ｍｍ）の水抜き管Ｐに対して使用する場合を例に説明する。
【００３７】
まず、図１，図２に示すように、仮設足場保持具１０の先端側を水抜き管Ｐに挿入する。このとき膨出部材１２の２個の椀状部材１８，１９が少し離れた状態にしておく。挿入は、保持具本体１１に固定したフランジ部１６が水抜き管Ｐの端部から少し入った箇所に位置するようにする。
【００３８】
次に、この状態で、ハンドル２９を握って右回り（図１，図２の矢印Ｒ方向）に回す。これにより、シャフト２８の先端のねじ部３１の螺合されているナット部材３０が図２中の右方向に移動し、これに伴ってナット部材３０と一体の椀状部材１８が右方向に移動する。
【００３９】
ハンドル２９を右回りの回転を続けると、右方向に移動した椀状部材１８の開口部２２ａが他方の椀状部材１９の開口部２３ａに接する。
【００４０】
この状態からさらにハンドル２９を右回りの回転を続けると、椀状部材１８，１９の側部２２，２３が弾性変形して外側に膨れる。この弾性変形において、図８に示すように、椀状部材１８，１９の周縁部２２ｂ，２３ｂは、内径側ａを中心に外径側ｂが相互に広がる方向に移動し、さらに側部２０，２１の弾性変形に伴って内周側ａが外側へ移動することにより、外周側ｂを水抜き管Ｐの内周面に強く押し付けることになる。これにより、図３に示すように側部２２，２３が水抜き管Ｐの内周面に圧接され、水抜き管Ｐに対する仮設足場保持具１０の取り付け（固定）が完了する。
【００４１】
この際、前述のように、膨出部材１２全体が中空状態となっていて、これを軸方向に圧縮して径方向に膨出させることになるので、比較的小さな力で（従来技術で説明したものと比較して）、しかも膨出部材１２を径方向に膨出させるための特別な構成が不要な簡単な構成で、椀状部材１８，１９を弾性変形させてその側部２２，２３を水抜き管Ｐに圧接させることが可能である。また図３に示す圧接後には、椀状部材１８，１９は、その形状に起因して、水抜き管Ｐとの接触面積を大きく取ることができるので、このことにより、仮設足場保持具１０を安定して固定することができる。さらに、図３に示す圧接後には、仮設足場保持具１０の抜け方向の力（図３中の右方向に作用する力）に対しては、椀状部材１８の側部２２がカウンタ方向に圧接されていることになり、一方、仮設足場保持具１０の挿入方向の力（図３中の左方向に作用する力）に対しては、椀状部材１９の側部２３がカウンタ方向に圧接されていることになるので、仮設足場保持具１０に対する抜け方向及び挿入方向の双方の力に対して、仮設足場保持具１０の不要な移動を有効に防止することができる。
【００４２】
図４，図５に、上述のようにして水抜き管Ｐに固定した仮設足場保持具１０を利用して足場用のパイプを構築する例を示す。
【００４３】
図４に示すものは、自在クランプＫ１の一方の把持部を仮設足場保持具１０の突出部１１ａに固定し、他方の把持部を斜面に沿って上下方向に配設したパイプＡ１に固定する。さらに直交クランプＫ２により、パイプＡ１に水平なパイプＡ２を固定している。
【００４４】
図５に示すものは、上述のパイプＡ１に、直交クランプＫ２を使用して垂直なパイプＡ３を固定したものである。
【００４５】
こうして、水平なパイプＡ２や垂直なパイプＡ３が固定されたら、あとはこれらのパイプＡ２，Ａ３を利用して、足場や手摺を構築することができる。
【００４６】
図３に示す、固定状態の仮設足場保持具１０を取り外すには、ハンドル２９を左回りに回して、ナット部材３０とともに椀状部材１８を同図中の左方に移動させて、図２に示す状態とし、その後、仮設足場保持具１０全体を水抜き管Ｐから抜き取ればよい。
【００４７】
上述では、椀状部材１８，１９の側部２２，２３の形状が、球形の一部とほぼ同形に形成されている場合について説明したが、本発明は、これに限定されるものではない。上述の球状の外に、例えば、断面形状が外側に向けて凸状の任意の形状を適用することが可能である。
【００４８】
また、椀状部材１８，１９の厚さについては、一定としてもよく、また、例えば側部２２，２３ａの厚さを開口部２２ａ，２３ａに近いほど薄くするようにしてもよい。
【００４９】
さらに、上述の実施の形態では、膨出部材１２として一対の椀状部材１８，１９を使用したが、これに代えて椀状部材１８，１９を開口部２２ａ，２３ａで接合したような一体形状の膨出部材としてもよい。さらには、複数対の椀状部材を使用するようにしてもよい。この場合には、水抜き管Ｐに対する仮設足場保持具１０の固定を、一層、安定させることができる。
【００５０】
【発明の効果】
以上説明したように、本発明によると、膨出部材を中空状に形成することにより、工具を使用することなくしかも簡単な構成で、水抜き管に対して膨出部材を圧接させることができる。
【図面の簡単な説明】
【図１】仮設足場保持具の全体構成を示す斜視図である。
【図２】仮設足場保持具の膨出部材を水抜き管に圧接させる前の状態を示す縦断面図である。
【図３】仮設足場保持具の膨出部材を水抜き管に圧接させた後の状態を示す縦断面図である。
【図４】仮設足場保持具を利用したパイプの取付け例を示す図である。
【図５】仮設足場保持具を利用したパイプの他の取付け例を示す図である。
【図６】（ａ），（Ｂ）は椀状部材の具体例を示す縦断面図である。
【図７】スペーサを示す斜視図である。
【図８】椀状部材が弾性変形する際の、椀状部材の周縁部の動作を説明する拡大図である。
【符号の説明】
１０        仮設足場保持具
１１        保持具本体
１１ａ      挿入部
１１ｂ      突出部
１２        膨出部材
１３        圧接機構
１８，１９  椀状部材
２０，２１  底部
２２，２３  側部
２２ａ，２３ａ開口部
２４，２５，２６，２７板状部材
２８        シャフト
２９        ハンドル
３０        ナット部材
３１        ねじ部
Ｃ          軸
【図１】
2004263494.tif 000003
【図２】
2004263494.tif 000004
【図３】
2004263494.tif 000005
【図４】
2004263494.tif 000006
【図５】
2004263494.tif 000007
【図６】
2004263494.tif 000008
【図７】
2004263494.tif 000009
【図８】
2004263494.tif 000010